(57)【要約】【課題】種類が異なるウィンドウを容易に識別することができる表示装置及び画像表示システムを提供する。【解決手段】複数の属性の付随情報をメタデータとして有するデータに基づく簡易画像Ｍの一覧Ｘであって、前記簡易画像Ｍが、行方向において一の属性の付随情報毎に配置されるとともに、列方向において他の属性の付随情報毎に配置されたマトリクス状の一覧Ｘが表示される表示部を備え、該表示部には、前記一覧Ｘの簡易画像Ｍのうち前記一の属性の付随情報と前記他の属性の付随情報とが共通する複数の簡易画像Ｍを含む第一サブウィンドウＳＷ１と、前記一覧Ｘの簡易画像Ｍのうち同じフォルダに入れられた複数の簡易画像Ｍを含む第二サブウィンドウＳＷ２とが、異なる表示形態で前記一覧Ｘの上に表示されることを特徴とする。【選択図】図１１
2014146175.tif 000002
【特許請求の範囲】
【請求項１】
複数の属性の付随情報をメタデータとして有するデータに基づく画像の一覧であって、前記画像が、行方向において一の属性の付随情報毎に配置されるとともに、列方向において他の属性の付随情報毎に配置されたマトリクス状の一覧が表示される表示部を備え、該表示部には、前記一覧の画像のうち前記一の属性の付随情報と前記他の属性の付随情報とが共通する複数の画像を含む第一ウィンドウと、前記一覧の画像のうち前記メタデータとは異なる観点で関連付けられた複数の画像を含む第二ウィンドウとが、異なる表示形態で前記一覧の上に表示されることを特徴とする表示装置。
【請求項２】
前記第一ウィンドウ及び前記第二ウィンドウは、方向性を有する形状であり、互いに異なる方向で表示されることを特徴とする請求項１に記載の表示装置。
【請求項３】
前記第一ウィンドウにおける前記複数の画像の配置方向と、前記第二ウィンドウにおける前記複数の画像の配置方向とが異なっていることを特徴とする請求項１又は２に記載の表示装置。
【請求項４】
前記表示部には、前記一覧の画像のうち、前記第一ウィンドウに表示される画像に対して、第一インジケータが表示されることを特徴とする請求項１〜３のいずれか一項に記載の表示装置。
【請求項５】
前記表示部には、前記第一インジケータを指示する入力が行われると、該第一インジケータに対応する画像を含む第一ウィンドウが表示されることを特徴とする請求項４に記載の表示装置。
【請求項６】
前記第一インジケータは複数表示されており、いずれかの第一インジケータを指示する入力を行なうことによって、該指示された第一インジケータに対応する画像を含む第一ウィンドウが表示され、該第一ウィンドウが表示されている状態において、他の第一インジケータが指示されると、前記第一ウィンドウに代わって前記他の第一インジケータに対応する画像を含む他の第一ウィンドウが表示されることを特徴とする請求項５に記載の表示装置。
【請求項７】
前記第一インジケータは、前記一覧において前記画像が配置される升目における前記画像の数を含むことを特徴とする請求項４〜６のいずれか一項に記載の表示装置。
【請求項８】
前記表示部には、前記一覧の画像のうち、前記第二ウィンドウに表示される画像に対して、第二インジケータが表示されることを特徴とする請求項１〜７のいずれか一項に記載の表示装置。
【請求項９】
前記表示部には、前記第二インジケータを指示する入力が行われると、該第二インジケータに対応する画像を含む第二ウィンドウが表示されることを特徴とする請求項８に記載の表示装置。
【請求項１０】
前記第二インジケータは複数表示されており、いずれかの第二インジケータを指示する入力を行なうことによって、該指示された第二インジケータに対応する画像を含む第二ウィンドウが表示され、該第二ウィンドウが表示されている状態において、他の第二インジケータが指示されると、前記第二ウィンドウに代わって前記他の第二インジケータに対応する画像を含む他の第二ウィンドウが表示されることを特徴とする請求項９に記載の表示装置。
【請求項１１】
操作者により、前記一覧に対する操作の入力があると、前記第一ウィンドウ及び前記第二ウィンドウの少なくとも一方が非表示になることを特徴とする請求項１〜１０のいずれか一項に記載の表示装置。
【請求項１２】
前記一覧に対する操作の入力は、一覧に対するクリック操作又はドラッグアンドドロップ操作であることを特徴とする請求項１１に記載の表示装置。
【請求項１３】
前記表示部には、前記一覧の一部が表示されており、
前記一覧のうち前記表示部に表示された部分を移動させる入力が行われると、前記第一ウィンドウ及び前記第二ウィンドウの少なくとも一方が非表示になる
ことを特徴とする請求項１〜１２のいずれか一項に記載の表示装置。
【請求項１４】
前記メタデータとは異なる観点の関連付けを行なう入力部を備えることを特徴とする請求項１〜１３のいずれか一項に記載の表示装置。
【請求項１５】
前記入力部を用いて、前記一覧の画像をフォルダに入れることによって前記メタデータとは異なる観点で関連付けられた画像が、前記第二ウィンドウに表示されることを特徴とする請求項１４に記載の表示装置。
【請求項１６】
前記表示部には、前記一覧の画像のうち、フォルダに入れられた画像を、フォルダに入れられていない画像と識別しうるインジケータが表示され、
該インジケータが操作者の入力によって指示されると、前記第二ウィンドウが表示される
ことを特徴とする請求項１５に記載の表示装置。
【請求項１７】
請求項１〜１６のいずれか一項に記載の表示装置と接続されたサーバを有することを特徴とする画像表示システム。
【請求項１８】
前記サーバは、前記第一ウィンドウ及び前記第二ウィンドウを含む前記一覧を作成する一覧作成部を備えることを特徴とする請求項１７に記載の画像表示システム。
【請求項１９】
前記サーバは、前記データを記憶する記憶部を備えることを特徴とする請求項１７又は１８に記載の画像表示システム。
【発明の詳細な説明】
【技術分野】
【０００１】
本発明は、複数の属性の付随情報をメタデータとして有するデータに基づく画像の一覧が表示される表示装置及び画像表示システムに関する。
【背景技術】
【０００２】
例えば特許文献１には、サーバ（ｓｅｒｖｅｒ）とネットワーク（Ｎｅｔｗｏｒｋ）を介して接続され、このサーバに記憶された医療用データに基づく画像を表示する表示装置が記載されている。
【０００３】
前記サーバに記憶された医療用データは、例えばＸ線ＣＴ（Ｃｏｍｐｕｔｅｄ  Ｔｏｍｏｇｒａｐｈｙ）装置で撮影されたＸ線ＣＴ画像やＭＲＩ（Ｍａｇｎｅｔｉｃ  Ｒｅｓｏｎａｎｃｅ  Ｉｍａｇｉｎｇ）装置で撮影されたＭＲＩ画像などの医用画像のデータである。この他、前記医療用データには、診療情報提供書など病院内で用いられる紙の文書がスキャン（ｓｃａｎ）されてデータ化されたものなども含まれる。
【先行技術文献】
【特許文献】
【０００４】
【特許文献１】特開２０１０−１８２０１８号公報
【発明の概要】
【発明が解決しようとする課題】
【０００５】
ところで、病院を訪れる患者について、非常に多くの医用画像や文書が作成されそのデータが保存されている場合がある。操作者は、診断などを行なう場合、その中から、目的に応じて関連のある医用画像や文書を見つけ出すことが必要である。また、ある患者について、医療用データの作成頻度などの履歴を知りたい場合もある。そこで、本願発明者は、これらの要請を満たすように、医用画像や文書をマトリクス状に配置した一覧を表示する表示装置を提案している。
【０００６】
前記一覧についてもう少し説明する。前記一覧は、一番上の行と一番左の列とが付随情報の表示欄になっている。そして、この二つの付随情報の表示欄に表示された付随情報によって特定される升目に、対応する画像が配置される。例えば、行方向（横方向）において、同じ日付の医用画像や文書のサムネイル（ｔｈｕｍｂｎａｉｌ）が配置され、列方向（縦方向）において同じ文書種のサムネイルが配置される。
【０００７】
ここで、例えば同じ日付で同じ文書種（同じ付随情報）のサムネイルが複数存在する場合については、それらすべてを表示すると、一覧性が損なわれる。そこで、本願発明者は、前記一覧においては、一つの升目に一つのサムネイルのみを代表して表示する一方で、その升目に該当するサムネイルがすべて表示されたウィンドウを、一覧上に表示することについて検討している。また、このように付随情報が共通するサムネイルを含むウィンドウとは別に、付随情報以外の情報が共通する複数のサムネイルを含むウィンドウを、一覧上に表示することについても検討している。このように、前記一覧とは別に、ウィンドウにおいてサムネイルを表示することにより、一覧が表示された状態において、画面遷移を伴わずに、より多くのサムネイルを提示することができる。
【０００８】
しかし、種類が異なるウィンドウが複数同時に表示されると、操作者にとって紛らわしい。
【課題を解決するための手段】
【０００９】
上述の課題を解決するためになされた一の観点の発明は、複数の属性の付随情報をメタデータとして有するデータに基づく画像の一覧であって、前記画像が、行方向において一の属性の付随情報毎に配置されるとともに、列方向において他の属性の付随情報毎に配置されたマトリクス状の一覧が表示される表示部を備え、該表示部には、前記一覧の画像のうち前記一の属性の付随情報と前記他の属性の付随情報とが共通する複数の画像を含む第一ウィンドウと、前記一覧の画像のうち前記メタデータとは異なる観点で関連付けられた複数の画像を含む第二ウィンドウとが、異なる表示形態で前記一覧の上に表示されることを特徴とする表示装置である。
【発明の効果】
【００１０】
上記観点の発明によれば、前記第一ウィンドウと前記第二ウィンドウとが、異なる表示形態で表示されるので、これら第一ウィンドウ及び第二ウィンドウを容易に識別することができる。
【図面の簡単な説明】
【００１１】
【図１】実施形態に係る画像表示システムのブロック図である。
【図２】一覧が表示された表示部の表示画面を示す図である。
【図３】簡易画像のフォルダへの保存を説明するフローチャートである。
【図４】図３に示すステップＳ１の処理の詳細を示すフローチャートである。
【図５】第一操作ボタンがクリックされた状態の表示画面を示す図である。
【図６】フォルダブラウザウィンドウが表示された表示画面を示す図である。
【図７】テーブルの一例を示す図である。
【図８】新しく「６月」フォルダが作成されたフォルダブラウザウィンドウが表示された表示画面を示す図である。
【図９】「６月」フォルダが追加された後のテーブルを示す図である。
【図１０】第二サブウィンドウが表示された表示画面を示す図である。
【図１１】第一サブウィンドウが表示された表示画面を示す図である。
【図１２】６月のカンファレンスで使用する簡易画像を「６月」フォルダに入れる時の動作を説明する図である。
【図１３】「６月」フォルダのＵＩＤ欄にＵＩＤが書き込まれた状態のテーブルを示す図である。
【図１４】一覧の移動を説明する図である。
【図１５】一覧を移動させる入力により、第一サブウィンドウ及び第二サブウィンドウが非表示になった状態の表示画面を示す図である。
【図１６】新たにフォルダに入れられた簡易画像Ｍに、フォルダアイコンが表示された状態の表示画面を示す図である。
【図１７】新たにフォルダに入れられた簡易画像のフォルダアイコンにカーソルを合わせた状態の表示画面を示す図である。
【図１８】新たな第二サブウィンドウが表示された表示画面を示す図である。
【図１９】２０１２年５月１８日のＣＴ画像の簡易画像を含む第一サブウィンドウが表示された表示画面を示す図である。
【図２０】２０１２年５月１８日のＣＴ画像の簡易画像を含む第一サブウィンドウに代わり、２０１２年５月１８日のＣＴレポートの簡易画像Ｍを含む第一サブウィンドウが表示された表示画面を示す図である。
【図２１】フォルダビューワを示す図である。
【図２２】実施形態に係る画像表示システムの他例を示すブロック図である。
【発明を実施するための形態】
【００１２】
以下、本発明の実施形態について図面に基づいて詳細に説明する。図１に示す画像表示システム１は、ネットワークＮを介して接続されたサーバ２と表示端末３とを備えている。前記画像表示システム１は、医療に関する画像を表示するシステムである。前記サーバ２には、ネットワークＮを介して部門システム４が複数接続されている。前記画像表示システム１は、本発明に係る画像表示システムの実施の形態の一例である。また、前記表示端末３は、本発明に係る表示装置の実施の形態の一例である。
【００１３】
前記サーバ２は、記憶部２１、表示データ作成部２２及びデータ出力部２３を有している。前記記憶部２１は、例えばＨＤＤ（Ｈａｒｄ  Ｄｉｓｋ  Ｄｒｉｖｅ）などである。前記記憶部２１には、前記各部門システム４から前記ネットワークＮを介して前記サーバ２に入力された医療用データなどが記憶されている。前記サーバ２は、本発明におけるサーバの実施の形態の一例であり、前記記憶部２１は、本発明における記憶部の実施の形態の一例である。
【００１４】
前記記憶部２１に記憶されている医療用データは、医療提供施設や検体検査を行なう検査施設などにおいて作成される患者に関係するデータであり、医用画像データ、文書データ、数値データなどである。前記医療用データは、本発明におけるデータの実施の形態の一例である。
【００１５】
前記医用画像データは、前記部門システム４のモダリティ等で取得されたデータであり、例えばＸ線ＣＴ画像、ＭＲＩ画像、超音波画像などの画像データである。前記文書データは、例えば読影レポート、診療情報提供書、手術同意書や検査同意書などの同意書、問診票、申込書、検査結果などのデータである。文書データには、紙の文書をスキャンしてデータ化されたＰＤＦ（Ｐｏｒｔａｂｌｅ  Ｄｏｃｕｍｅｎｔ  Ｆｏｒｍａｔ）データなども含まれる。また、前記数値データは、患者に関する数値のデータであり、例えば検査結果を示す数値のデータである。
【００１６】
前記医療用データには、上述において列記された前記医用画像データ、前記文書データ及び前記数値データの他、心電図などの患者の生体情報の経過記録、その他患者に関係する記録のデータなども含まれる。
【００１７】
前記医療用データは、データ本体の他にメタデータ（ｍｅｔａｄａｔａ）を含んでいる。メタデータは、例えば患者の氏名、患者ＩＤ、日付、文書種、文書分類、依頼科など、複数の属性の付随情報からなる。ここで、「付随情報」という語は、具体的な氏名、日付、文書種、文書分類、依頼科を意味し、属性は、これら付随情報の属性を意味する。例えば、「文書種」という属性の付随情報は、「ＣＴ」、「ＭＲＩ」などであり、「依頼科」という属性の付随情報は、「放射線科」、「循環器科」などである。メタデータは、属性の情報（例えば、「文書種」という情報）と、その属性の具体的な情報（すなわち付随情報、例えば「ＣＴ」という情報）とを含む概念である。
【００１８】
また、前記メタデータには、Ｕｎｉｑｕｅ  ＩＤ（以下、「ＵＩＤ」と云う）が含まれる。このＵＩＤは、医療用データを識別するための情報である。
【００１９】
前記メタデータには、例えばＸ線ＣＴ装置等のモダリティ（ｍｏｄａｌｉｔｙ）など、前記部門システム４において自動的に付与されるものと、操作者が入力することにより付与されるものとが含まれる。
【００２０】
メタデータにおける日付は、例えば医療用データの作成日である。メタデータにおける日付には、日のみならず、年や時刻などが含まれていてもよい。医用画像データであれば、撮影日を作成日としてもよい。また、文書データであれば、文書を作成した日が作成日であってもよいし、文書をスキャンしてデータ化した日が作成日であってもよい。
【００２１】
また、前記メタデータにおける文書種は、医療用データの種類を示す情報であり、例えばＭＲＩ（Ｍａｇｎｅｔｉｃ  Ｒｅｓｏｎａｎｃｅ  Ｉｍａｇｉｎｇ）、ＵＳ（Ｕｌｔｒａｓｏｕｎｄ）などの医用画像の種類や、入院同意書、入院申込書、入院問診票、検査同意書、手術同意書などの文書の種類を示す情報である。また、前記メタデータにおける文書分類は、例えば同意書など、文書種の上位の概念を示す情報である。
【００２２】
また、前記メタデータにおける依頼科は、例えば放射線科、循環器科など、医療用データの作成を依頼した科を示す情報である。
【００２３】
前記メタデータにおける属性は、予め決められていてもよい。また、予め決められている場合でも、属性の追加や削除を行なうことができるようになっていてもよい。
【００２４】
また、前記記憶部２１には、後述するように、フォルダ（ｆｏｌｄｅｒ）に入れられた簡易画像Ｍの医療用データのＵＩＤと、フォルダ名とを対応付けるテーブルＴＡが記憶される。
【００２５】
前記表示データ作成部２２は、前記表示端末３に表示される画像のデータを作成する。例えば、前記表示データ作成部２２は、前記記憶部２１に記憶された医療用データに基づく同一患者の簡易画像Ｍの一覧Ｘのデータを作成する。前記一覧Ｘは、後述するように前記表示端末３に表示される（例えば図２参照）。前記表示データ作成部２２は、本発明における一覧作成部の実施の形態の一例である。
【００２６】
また、前記表示データ作成部２２は、前記表示端末３に表示されるフォルダビューワＦＶのデータを作成する（例えば図６参照）。フォルダビューワＦＶについては後述する。
【００２７】
さらに、前記表示データ作成部２２は、前記一覧Ｘの上に表示される第一サブウィンドウＳＷ１及び第二サブウィンドウＳＷ２（例えば図１１参照）のデータを作成する。詳細は後述する。
【００２８】
前記データ出力部２３は、前記表示端末３の要求に応じて、前記サーバ２から前記表示端末３へデータを出力する。
【００２９】
図１では、前記表示データ作成部２２及び前記データ出力部２３は、前記医療用データが記憶された記憶部２１と同一のサーバに設けられているが、前記表示データ作成部２２及び前記データ出力部２３は、前記記憶部２１とは異なるサーバに設けられていてもよい。
【００３０】
前記表示端末３は、例えば汎用型のパーソナルコンピュータ（Ｐｅｒｓｏｎａｌ  Ｃｏｍｐｕｔｅｒ）である。また、前記表示端末３は、タブレット（ｔａｂｌｅｔ）型のコンピュータであってもよい。前記表示端末３は、表示部３１、制御部３２、入力部３３、記憶部３４を有している。
【００３１】
前記表示部３１は、ＬＣＤ（Ｌｉｑｕｉｄ  Ｃｒｙｓｔａｌ  Ｄｉｓｐｌａｙ）やＣＲＴ（Ｃａｔｈｏｄｅ  Ｒａｙ  Ｔｕｂｅ）などである。前記表示部３１は、本発明における表示部の実施の形態の一例である。
【００３２】
前記制御部３２は、データ要求部３２１、表示制御部３２２、テーブル作成部３２３を有している。前記データ要求部３２１は、前記入力部３３における操作者の入力に基づいて、前記サーバ２へ前記一覧Ｘなどのデータを要求する信号を出力する。
【００３３】
前記表示制御部３２２は、前記表示部３１の表示画面３１ａに画像を表示させる。例えば、前記表示制御部３２２は、前記サーバ２から入力された前記一覧Ｘのデータに基づいて、図２に示すように、前記一覧Ｘを前記表示部３１の表示画面３１ａに表示させる。図２において前記表示部３１に表示された一覧Ｘは、前記表示データ作成部２２によって作成された一覧Ｘのうち、一部である。
【００３４】
前記一覧Ｘは、付随情報の表示欄Ｃ１，Ｃ２と簡易画像の表示欄Ｃ３とを含む。これら付随情報の表示欄Ｃ１，Ｃ２及び簡易画像の表示欄Ｃ３は、複数の升目ＣＥで構成されている。前記付随情報の表示欄Ｃ１は、前記一覧Ｘにおいて、行方向（横方向）に並んだ一番上の行を構成する升目ＣＥで構成されている。また、前記付随情報の表示欄Ｃ２は、前記一覧Ｘにおいて、列方向（縦方向）に並んだ一番左の列を構成する升目ＣＥで構成されている。
【００３５】
前記表示制御部３２２は、前記付随情報の表示欄Ｃ１に、同一の属性の付随情報を表示させる。また、前記表示制御部３２２は、前記付随情報の表示欄Ｃ２にも、同一の属性の付随情報を表示させる。そして、前記付随情報の表示欄Ｃ１と前記付随情報の表示欄Ｃ２とでは、異なる属性の付随情報が表示される。図２では、前記付随情報の表示欄Ｃ１に文書種が表示され、前記付随情報の表示欄Ｃ２に日付（年月日）が表示されている。前記付随情報の表示欄Ｃ１に表示される付随情報は、本発明における一の属性の付随情報の実施の形態の一例である。また、前記付随情報の表示欄Ｃ２に表示される付随情報は、本発明における他の属性の付随情報の実施の形態の一例である。
【００３６】
前記付随情報の表示欄Ｃ１，Ｃ２の属性は、操作者が前記入力部３３を用いた入力操作を行なうことにより、変更することができるようになっていてもよい。
【００３７】
また、前記簡易画像の表示欄Ｃ３には、前記記憶部２１に記憶された医療用データに基づく簡易画像Ｍが表示される。簡易画像Ｍはサムネイル画像などである。前記簡易画像Ｍのデータは、前記サーバ２の表示データ作成部２２によって作成される。前記簡易画像Ｍは、本発明におけるデータに基づく画像の実施の形態の一例である。
【００３８】
前記表示データ作成部２２による前記簡易画像Ｍの作成について説明する。前記表示データ作成部２２は、前記医用画像データを、前記一覧Ｘにおいて表示するために適切なサイズ（ｓｉｚｅ）に変換する。このサイズは、一覧性を維持した状態で表示画面３１ａ上に配置できる程度のサイズである（例えば、６４×６４ピクセル（ｐｉｘｅｌ）、９６×９６ピクセルなど）。
【００３９】
また、簡易画像Ｍとして表示される医療用データが数値データである場合、前記表示データ作成部は、この数値データの内容を示す画像を簡易画像Ｍとして作成してもよい。例えば、数値データの内容を示す画像は、数値データの内容を示す文字からなる画像である。数値データの内容を示す文字は、検査名を示す文字などである。
【００４０】
前記簡易画像の表示欄Ｃ３に表示された簡易画像Ｍを、操作者が前記入力部３３を用いてクリックすることにより、前記表示制御部３２２は、クリックされた簡易画像Ｍが作成された元の医療用データに基づく画像（原画像）を表示させる。この医療用データは、前記サーバ２から取得される。具体的には、先ず前記データ要求部３２１が、クリックされた簡易画像Ｍの元の医療用データを前記サーバ２に対して要求する。この要求には、前記元の医療用データのＵＩＤが含まれる。前記サーバ２においては、要求された医療用データが、前記表示端末３から入力された前記ＵＩＤに基づいて前記記憶部２１から読み出され、前記データ出力部２３によって前記表示端末３へ出力される。
【００４１】
前記付随情報の表示欄Ｃ１を構成する升目ＣＥには、前記簡易画像の表示欄Ｃ３の縦方向（列方向）における付随情報が表示される。また、前記付随情報の表示欄Ｃ２を構成する升目ＣＥには、前記簡易画像の表示欄Ｃ３の横方向（行方向）における付随情報が表示される。前記簡易画像の表示欄Ｃ３においては、マトリックス（Ｍａｔｒｉｘ）状に簡易画像Ｍが配置されている。前記簡易画像の表示欄Ｃ３において、列方向においては、前記付随情報の表示欄Ｃ１を構成する升目ＣＥに表示された付随情報を有する簡易画像Ｍが配置され、行方向においては、前記付随情報の表示欄Ｃ２を構成する升目ＣＥに表示された付随情報を有する簡易画像Ｍが配置される。前記簡易画像の表示欄Ｃ３においては、前記付随情報の表示欄Ｃ１及び前記付随情報の表示欄Ｃ２の二つの付随情報から特定される升目ＣＥに、対応する簡易画像Ｍが配置されている。
【００４２】
具体的に図２においては、各文書種の簡易画像Ｍが列方向に並び、各日付の簡易画像Ｍが行方向に並んだ一覧Ｘが表示されている。一例をあげて説明すると、前記表示制御部３２２は、簡易画像の表示欄Ｃ３において、前記付随情報の表示欄Ｃ１のうち「ＣＴ」と表示された升目ＣＥの列に、付随情報としてＣＴ画像を示す情報を有する医療用データに基づく簡易画像Ｍ（ＣＴ画像を示すサムネイル画像）を表示させる。また、前記表示制御部３２２は、簡易画像の表示欄Ｃ３において、例えば前記付随情報の表示欄Ｃ２のうち「２０１２／５／１８」と表示された升目ＣＥの行に、付随情報として２０１２年５月１８日の日付情報を有する医療用データに基づく簡易画像Ｍを表示させる。このように、前記表示制御部３２２は、前記簡易画像Ｍが、行方向に一の属性の付随情報毎に配置されるとともに、列方向に他の属性の付随情報毎に配置された前記一覧Ｘを表示させる。
【００４３】
前記一覧Ｘにおいて、一つの升目ＣＥに表示すべき医療用データが複数存在している場合、すなわち前記一覧Ｘに表示される二つの付随情報が共通する医療用データが複数存在している場合、前記升目ＣＥには、代表して一つの簡易画像Ｍのみが表示される。例えば、２０１２年５月１８日のＣＴ画像が複数枚ある場合、前記一覧Ｘには、簡易画像Ｍとして、代表して一枚のみが前記升目ＣＥに表示される。ただし、前記表示データ作成部２２により、簡易画像Ｍは複数作成されていてもよい。
【００４４】
ちなみに、前記表示データ作成部２２は、前記付随情報の表示欄Ｃ１，Ｃ２の属性が変更された場合、変更された属性の付随情報が前記付随情報の表示欄Ｃ１，Ｃ２に表示され、なおかつ変更に合わせて前記簡易画像Ｍが再配置された一覧Ｘのデータを作成する。
【００４５】
前記一覧Ｘは、前記入力部３３によってドラッグ（ｄｒａｇ）操作を行なうことによってスクロール（ｓｃｒｏｌｌ）することができる。前記表示部３１が、タッチパネル（ｔｏｕｃｈ  ｐａｎｅｌ）式のディスプレイである場合、操作者が指でドラッグ操作又はフリック（ｆｌｉｃｋ）操作を行なうことによって、前記一覧Ｘをスクロールすることができる。
【００４６】
前記一覧Ｘが表示されることにより、操作者は、ある患者について医療用データの作成履歴を一目見て把握することができる。このように、前記一覧Ｘは、医療用データの一覧性に優れているので、操作者は、患者の来院の頻度などを容易に把握することができる。
【００４７】
前記一覧Ｘを構成する簡易画像Ｍには、操作者による前記入力部３３の入力によってフォルダ（ｆｏｌｄｅｒ）に入れられた医療用データに基づく簡易画像Ｍが含まれる。詳細は後述する。
【００４８】
前記テーブル作成部３２３は、後述するようにフォルダ名と医療用データのＵＩＤとを対応付けるテーブルＴＡを作成する。
【００４９】
前記入力部３３は、キーボード（ｋｅｙｂｏａｒｄ）やマウス（ｍｏｕｓｅ）などで構成されている。前記入力部３３は、本発明における入力部の実施の形態の一例である。
【００５０】
前記記憶部３４は、例えばＨＤＤ、又はＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）などの半導体メモリである。
【００５１】
前記部門システム４は、例えばＸ線ＣＴ装置やＭＲＩ装置等のモダリティなどを含む放射線科情報システム（ＲＩＳ：Ｒａｄｉｏｌｏｇｙ  Ｉｎｆｏｒｍａｔｉｏｎ  Ｓｙｓｔｅｍ）や臨床検査システムなどの病院内における部門システムである。
【００５２】
次に、本例の画像表示システム１の作用について説明する。本例の画像表示システム１によれば、操作者は、ある患者についての前記一覧Ｘを構成する簡易画像Ｍを、フォルダを用いて整理することができる。ここでは、操作者が病院内のカンファレンス（ｃｏｎｆｅｒｅｎｃｅ）に使用する簡易画像Ｍを、フォルダを用いて整理する例について説明する。前記簡易画像Ｍは、患者Ｐについての画像であるものとする。
【００５３】
操作者は、一覧Ｘを構成する簡易画像Ｍのうち、カンファレンスに使用する簡易画像Ｍのデータをフォルダに入れる。具体的に、図３のフローチャートに基づいて説明する。先ず、ステップＳ１では、操作者は、前記表示画面３１ａに前記一覧Ｘを表示させる。このステップＳ１の詳細な処理について、図４のフローチャートに基づいて説明する。
【００５４】
図４において、先ずステップＳ１１では、操作者は、前記表示端末３の入力部３３において、一覧Ｘの表示を指示する入力や氏名やＩＤなどの患者Ｐの特定情報の入力を行なう。次に、ステップＳ１２では、前記データ要求部３２１は、特定情報が入力された前記患者Ｐに関する一覧Ｘのデータを前記サーバ２に対して要求する。この要求には、患者Ｐの特定情報が含まれる。
【００５５】
前記ステップＳ１２において、前記一覧Ｘのデータが要求されると、ステップＳ１３では、前記サーバ２の表示データ作成部２２は、一覧Ｘのデータを作成する。詳細には、先ず前記表示データ作成部２２は、前記データ要求部３２１から入力された患者Ｐの特定情報に基づいて、前記記憶部２１に記憶されている患者Ｐの全ての医療用データを特定する。この医療用データは、前記患者Ｐについて異なる時に複数作成されているものとする。そして、前記表示データ作成部２２は、特定された患者Ｐの医療用データに基づいて、前記患者Ｐについての簡易画像Ｍからなる一覧Ｘのデータを作成する。
【００５６】
次に、ステップＳ１４では、前記データ出力部２３が、前記ステップＳ１３において作成された前記一覧Ｘのデータを前記表示端末３へ出力する。次に、ステップＳ１５では、前記ステップＳ１４において、前記表示端末３へ入力された一覧Ｘのデータに基づいて、前記表示制御部３２２が前記表示画面３１ａに一覧Ｘを表示させる（図２参照）。前記表示制御部３２２は、前記一覧Ｘとともに、各種の操作ボタンＯＢ等も表示させる。
【００５７】
次に、ステップＳ２では、操作者は、前記表示部３１にフォルダブラウザウィンドウＦＢＷを表示させ、新たなフォルダを作成する。詳細に説明する。先ず、操作者は、前記入力部３３を用いて、図５に示すように、前記操作ボタンＯＢのうち、第一操作ボタンＯＢ１をカーソルＣＵによってクリックする。第一操作ボタンＯＢ１がクリックされると、前記表示制御部３２２は、図６に示すように、前記表示画面３１ａにフォルダブラウザウィンドウＦＢＷを表示させる。図６では、「カンファレンス−２０１２年−２月」フォルダが表示されたフォルダブラウザウィンドウＦＢＷが表示されている。
【００５８】
前記フォルダブラウザウィンドウＦＢＷの表示について説明する。前記第一操作ボタンＯＢ１がクリックされると、先ず前記データ要求部３２１が、フォルダブラウザウィンドウＦＢＷのデータを前記サーバ２へ要求する。次に、前記サーバ２の前記表示データ作成部２２は、前記記憶部２１に記憶されたテーブルＴＡを参照して、フォルダブラウザウィンドウＦＢＷのデータを作成する。そして、このフォルダブラウザウィンドウＦＢＷのデータが、前記データ出力部２３から前記表示端末３へ出力されると、このデータに基づいて、前記表示制御部３２２が、前記フォルダブラウザウィンドウＦＢＷを表示させる。
【００５９】
ここで、テーブルＴＡについて説明する。ここでは、「カンファレンス」フォルダが存在し、この「カンファレンス」フォルダの中の「２０１２」フォルダ内に、「２月」フォルダが存在している。このようにフォルダは本例では階層構造になっている。この「２月」フォルダには、２０１２年２月のカンファレンスで用いた簡易画像Ｍが入れられている。従って、図７に示すように、「カンファレンス−２０１２−２月」というフォルダ名とこのフォルダに入れられた医療用データのＵＩＤとを対応付けるテーブルＴＡが、前記記憶部２１に記憶されている。この図７に示すテーブルＴＡのＵＩＤ欄ＣＵＩＤには、「２月」フォルダに入れられた簡易画像Ｍの医療用データのＵＩＤ（図７では「×」印で示す）が示されている。
【００６０】
前記テーブルＴＡは、特定の患者に限定されたものではない。従って、フォルダ内には、患者Ｐ以外の異なる患者の簡易画像も存在しうる。
【００６１】
前記フォルダブラウザウィンドウＦＢＷが表示されると、操作者は「新しいフォルダの作成」ボタンＢ１を、前記入力部３３を用いてカーソルＣＵ（図６では図示省略）によってクリックし、新しいフォルダを作成する。ここでは、操作者は、「６月」のカンファレンスで使用する簡易画像Ｍをフォルダに入れるものとし、新しいフォルダとして、図８に示すように、「６月」フォルダを作成する。
【００６２】
「６月」フォルダが作成されると、前記テーブル作成部３２３は、図９に示すように、フォルダ名と医療用データのＵＩＤとを対応付けるテーブルＴＡに、「６月」を追加する。「６月」が追加された前記テーブルＴＡは、前記記憶部３４に記憶される。
【００６３】
次に、ステップＳ３では、操作者は、フォルダブラウザウィンドウＦＢＷにおける「６月」フォルダに、６月のカンファレンスで使用する簡易画像Ｍを入れる。ここで、操作者は、２月のカンファレンスで用いたＣＴ画像も「６月」フォルダに入れたいとする。操作者は、「６月」フォルダに、所望の簡易画像Ｍを入れる前に、２月のカンファレンスで使用した簡易画像Ｍを確認したい場合、図１０に示すように、カーソルＣＵによってフォルダアイコンＦＩをクリックする。これにより、第二サブウィンドウＳＷ２が表示される。この第二サブウィンドウＳＷ２は、前記一覧Ｘの上に重ねて表示される。前記第二サブウィンドウＳＷ２には、「カンファレンス−２０１２年−２月」フォルダに入れられた簡易画像Ｍが表示される。従って、操作者は２月のカンファレンスで用いた簡易画像Ｍを容易に確認することができる。前記第二サブウィンドウＳＷ２は、同じフォルダに入れられた簡易画像Ｍを含むウィンドウであり、本発明における第二ウィンドウの実施の形態の一例である。また、同じフォルダに入れられ、前記第二サブウィンドウＳＷ２に表示される簡易画像Ｍは、本発明において、一覧の画像のうちメタデータとは異なる観点で関連付けられた画像の実施の形態の一例である。
【００６４】
前記第二ウィンドウＳＷ２における簡易画像Ｍがクリックされることにより、この簡易画像Ｍが作成された元の医療用データに基づく画像が表示されてもよい。
【００６５】
前記第二サブウィンドウＳＷ２には、２月のカンファレンスで用いた簡易画像Ｍが入れられたフォルダのフォルダ名「カンファレンス−２０１２年−２月」が表示されている。従って、操作者は、この第二サブウィンドウＳＷ２が、「カンファレンス−２０１２年−２月」フォルダの内容を示すウィンドウであることを容易に認識することができる。
【００６６】
前記第二サブウィンドウＳＷ２は、長方形であり、長手方向が横方向（行方向）になるように、前記一覧Ｘの上に表示されている。すなわち、前記第二サブウィンドウＳＷ２は、横長の長方形であり、方向性（横方向）を有する形状である。前記第二サブウィンドウＳＷ２において、複数の前記簡易画像Ｍは、横方向に配置される。
【００６７】
前記第二サブウィンドウＳＷ２の表示について説明する。フォルダに入れられ整理されている簡易画像Ｍには、フォルダアイコンＦＩが表示されている。フォルダアイコンＦＩがクリックされると、前記第二サブウィンドウＳＷ２が表示される。従って、前記フォルダアイコンＦＩは、前記第二サブウィンドウＳＷ２に表示される簡易画像Ｍに対して表示されている。フォルダアイコンＦＩは、このフォルダアイコンＦＩが表示された簡易画像Ｍの医療用データが、フォルダに入れられていることを示すインジケータである。言い換えれば、前記フォルダアイコンＦＩは、前記一覧Ｘの簡易画像Ｍのうち、フォルダに入れられた医療用データに基づく簡易画像Ｍを、フォルダに入れられていない簡易画像Ｍと識別しうるインジケータである。前記フォルダアイコンＦＩは、本発明におけるインジケータ及び第二インジケータの実施の形態の一例である。
【００６８】
フォルダアイコンＦＩは、上述のステップＳ１３において一覧Ｘのデータが作成される際に付される。具体的には、前記表示データ作成部２２は、前記テーブルＴＡに含まれるＵＩＤを参照して、該当する簡易画像Ｍに、前記フォルダアイコンＦＩを付す。この場合、上述のステップＳ１４においては、フォルダアイコンＦＩが付された一覧Ｘのデータが前記表示端末３へ出力される。
【００６９】
前記フォルダアイコンＦＩがクリックされると、前記表示画面３１ａには、フォルダアイコンＦＩに対応するフォルダに入れられたデータの簡易画像Ｍを含む第二サブウィンドウＳＷ２が表示される。例えば、図１０においては、２０１２年１月１６日のＣＴ画像の簡易画像Ｍに表示されたフォルダアイコンＦＩが、カーソルＣＵによってクリックされたとする。この２０１２年１月１６日のＣＴ画像のデータは、「２月」フォルダに入れられている。操作者は、前記第二サブウィンドウＳＷ２によって、２月のカンファレンスで使用されたＣＴ画像が、２０１２年１月１６日の画像であることを確認することができる。
【００７０】
フォルダアイコンＦＩ及び簡易画像Ｍは、フォルダ（フォルダ名）を特定するフォルダ特定情報とリンク付けされている。前記フォルダアイコンＦＩがクリックされると、前記データ要求部３２１は、前記フォルダ特定情報を前記サーバ２へ出力する。前記サーバ２の前記表示データ作成部２２は、前記表示端末３から入力されたフォルダ特定情報を参照して、前記第二サブウィンドウＳＷ２のデータを作成する。より詳細には、前記表示データ作成部２２は、前記フォルダ特定情報によって特定されたフォルダに入れられた簡易画像ＭのＵＩＤを、前記テーブルＴＡを参照して特定し、該当する簡易画像Ｍを含む第二サブウィンドウＳＷ２のデータを作成する。この第二サブウィンドウＳＷ２のデータは、前記データ出力部２３によって前記表示端末３へ出力される。前記表示制御部３２２は、前記サーバ２から入力されたデータに基づいて前記第二サブウィンドウＳＷ２を含む一覧Ｘを表示させる。
【００７１】
操作者は、２月のカンファレンスで使用された簡易画像Ｍを確認した後、２月のカンファレンスで使用したＣＴ画像の簡易画像Ｍとともに、６月のカンファレンスで使用する簡易画像Ｍを「６月」フォルダに入れる。具体的に説明する。先ず、操作者は、図１１に示すように、前記升目ＣＥに表示された数値アイコンＮＩをクリックして、第一サブウィンドウＳＷ１を表示させる。この第一サブウィンドウＳＷ１は、前記一覧Ｘの上に重ねて表示される。第一サブウィンドウＳＷ１は、本発明における第一ウィンドウの実施の形態の一例である。
【００７２】
前記数値アイコンＮＩは、この数値アイコンＮＩが表示された升目ＣＥにおける簡易画像Ｍの数を示している。ただし、一つの升目ＣＥに複数の簡易画像Ｍが存在していても、その升目ＣＥには、複数の簡易画像Ｍを代表して一つの簡易画像Ｍのみが表示されている。複数の簡易画像Ｍは、一覧Ｘにおける前記付随情報の表示欄Ｃ１，Ｃ２の二つの付随情報（ここでは、文書種と日付）が共通する簡易画像Ｍである。簡易画像Ｍが一つだけである升目ＣＥには、前記数値アイコンＮＩは表示されない。
【００７３】
数値アイコンＮＩは、上述のステップＳ１３において一覧Ｘのデータが作成される際に付される。具体的には、前記表示データ作成部２２は、一つの升目ＣＥに対して作成された簡易画像Ｍの数に基づいて、数値アイコンＮＩを付す。上述のステップＳ１４においては、数値アイコンＮＩが付された一覧Ｘのデータが前記表示端末３へ出力される。前記数値アイコンＮＩは、本発明における第一インジケータの実施の形態の一例である。
【００７４】
前記第一サブウィンドウＳＷ１には、一つの升目ＣＥに対して存在する複数の簡易画像Ｍが表示される。前記サーバ２の表示データ作成部２２は、前記数値アイコンＮＩがクリックされると、その数値アイコンＮＩが表示された升目ＣＥの二つの付随情報を有する複数の簡易画像Ｍを含む第一サブウィンドウＳＷ１のデータを作成する。この第一サブウィンドウＳＷ１のデータは、前記データ出力部２３によって前記表示端末３へ出力され、前記表示制御部３２２が第一サブウィンドウＳＷ１を表示させる。
【００７５】
図１１では、２０１２年５月１８日のＣＴ画像の簡易画像Ｍが表示された升目ＣＥに表示された数値アイコンＮＩがクリックされたので、前記第一サブウィンドウＳＷ１には、２０１２年５月１８日のＣＴ画像の簡易画像Ｍが表示されている。従って、前記第一サブウィンドウＳＷ１には、付随情報の表示欄Ｃ１，Ｃ２における付随情報が共通する簡易画像Ｍが表示される。また、前記数値アイコンＮＩは、前記第一サブウィンドウＳＷ１に表示される簡易画像Ｍに対して表示されている。
【００７６】
前記第一サブウィンドウＳＷ１は、長方形であり、長手方向が縦方向（列方向）になるように、前記一覧の上に表示されている。すなわち、前記第一サブウィンドウＳＷ１は、縦長の長方形であり、方向性（縦方向）を有する形状である。前記第一サブウィンドウＳＷ１において、複数の前記簡易画像Ｍは、縦方向に配置される。従って、前記第一サブウィンドウＳＷ１及び前記第二サブウィンドウＳＷ２は、互いに異なる方向で表示され、互いに表示形態が異なっている。
【００７７】
操作者は、図１２に示すように、「６月」フォルダに入れたい簡易画像Ｍを、前記フォルダブラウザウィンドウＦＢＷの「６月」フォルダへドラッグアンドドロップ（ｄｒａｇ  ａｎｄ  ｄｒｏｐ）する。ここでは、２０１２年１月１６日のＣＴ画像の簡易画像Ｍと、２０１２年５月１８日のＣＴ画像、ＣＴレポート、血液検査の簡易画像Ｍとが、前記入力部３３を用いたドラッグアンドドロップ操作によって、「６月」フォルダに入れられる。このようにフォルダに簡易画像Ｍを入れることにより、メタデータとは異なる観点の関連付けがなされる。簡易画像Ｍをフォルダに入れるためのドラッグアンドドロップ操作は、メタデータとは異なる観点の関連付けを行なう入力の一例である。
【００７８】
本例では、２０１２年１月１６日のＣＴ画像の簡易画像Ｍとして、前記一覧Ｘに表示されていない画像が「６月」フォルダに入れられる。操作者は、前記第一サブウィンドウＳＷ１に表示された簡易画像Ｍの中から、所望の画像を選び、前記「６月」フォルダにドラッグアンドドロップする。
【００７９】
このように、操作者は、前記一覧Ｘの上に表示されたフォルダブラウザウィンドウＦＢＷにドラッグアンドドロップするだけで、所望の簡易画像Ｍを簡単にフォルダに入れることができる。
【００８０】
また、操作者は、「６月」フォルダに入れたい簡易画像Ｍを前記第一サブウィンドウＳＷ１において表示させながら、２月のカンファレンスで用いた画像の簡易画像Ｍを前記第二サブウィンドウＳＷで確認することができる。このように前記第一サブウィンドウＳＷ１及び前記第二サブウィンドウＳＷ２が同時に表示されていても、互いに方向が異なっているので、両者を容易に識別することができる。
【００８１】
フォルダ内に簡易画像Ｍがドラッグアンドドロップされると、前記テーブル作成部３２３が、フォルダ名と医療用データのＵＩＤとを対応付けるテーブルを作成する。ここでは、前記テーブル作成部３２３は、図１３に示すように、「６月」フォルダに入れられた簡易画像Ｍの医療用データのＵＩＤを、前記テーブルＴＡの「６月」フォルダのＵＩＤ欄ＣＵＩＤに書き込む。これにより、「６月」フォルダとこの「６月」フォルダに入れられた簡易画像Ｍの医療用データのＵＩＤとを対応付けるテーブルＴＡが完成する（階層構造の構築）。このテーブルＴＡは、前記記憶部３４に記憶される。また、前記テーブルＴＡは、前記サーバ２へ出力され、前記記憶部２１に記憶された患者ＰについてのテーブルＴＡが更新される。
【００８２】
ちなみに、前記テーブルＴＡのＵＩＤ欄ＣＵＩＤにＵＩＤが書き込まれることにより、フォルダに簡易画像Ｍのデータが入れられたことになる。
【００８３】
以上により、カンファレンスの準備が完了する。ここで、前記表示画面３１ａには、前記表示データ作成部２２によって作成された一覧Ｘのデータのうち一部が表示されている。操作者は、前記入力部３３による操作入力により、前記表示データ作成部２２によって作成された一覧Ｘのうち、前記表示画面３１ａに表示される部分を移動させることができる。言い換えれば、操作者は、前記表示画面３１ａに表示された前記一覧Ｘを移動させることができる。操作者は、図１４に示すように、前記一覧ＸにカーソルＣＵを置いてドラッグ（ｄｒａｇ）操作を行なうことにより、前記一覧Ｘの表示部分を移動させることができる。このドラッグ操作により、縦方向、横方向及び斜め方向のいずれの方向においても、前記一覧Ｘの表示部分を移動させることができる。
【００８４】
操作者が、前記入力部３３において、前記一覧Ｘを移動させる入力（ドラッグ操作）を行なうと、前記表示制御部３２２は、図１５に示すように、前記第一サブウィンドウＳＷ１及び前記第二サブウィンドウＳＷ２を非表示にする。より詳細には、前記入力部３３のマウス（ｍｏｕｓｅ）のボタン（ｂｕｔｔｏｎ）が押された時に、前記第一サブウィンドウＳＷ１及び前記第二サブウィンドウＳＷ２が非表示になる。
【００８５】
前記第一サブウィンドウＳＷ１及び前記第二サブウィンドウＳＷ２は、前記一覧ＸにカーソルＣＵを置いてクリック操作を行なうことにより、非表示になってもよい。
【００８６】
例えば、操作者が、前記第一サブウィンドウＳＷ１及び前記第二サブウィンドウＳＷ２と重なっている簡易画像Ｍを見たい場合や、前記一覧Ｘを動かして前記表示画面３１ａに表示されていない簡易画像Ｍを表示させたい場合、操作者は、前記第一サブウィンドウＳＷ１及び前記第二サブウィンドウＳＷ２を非表示にしたい。このように、操作者が第一サブウィンドウＳＷ１及び前記第二サブウィンドウＳＷ２が表示されていることが邪魔に感じたり、これらを表示させておく必要がなくなったりした場合、上述のように、操作者が、ドラッグ操作やクリック操作などのような前記一覧に対する操作の入力を行なうと、前記第一サブウィンドウＳＷ１及び前記第二サブウィンドウＳＷ２が非表示になるので、操作が容易である。
【００８７】
前記「６月」フォルダに入れられた簡易画像Ｍには、図１６に示すように、新たにフォルダアイコンＦＩが表示される。操作者は、図１７に示すように、「６月」フォルダに入れられた簡易画像Ｍ（図１７では、２０１２年５月１８日のＣＴ画像の簡易画像Ｍ）に表示されたフォルダアイコンＦＩにカーソルＣＵを合わせてクリックすることにより、図１８に示すように、「６月」フォルダに入れられた簡易画像Ｍを含む第二サブウィンドウＳＷ２を表示させることができる。この「６月」フォルダに入れられた簡易画像Ｍを含む第二サブウィンドウＳＷ２は、「２月」フォルダに入れられた簡易画像Ｍを含む第二サブウィンドウＳＷ２に代わって表示される。
【００８８】
ちなみに、図１９に示すように、２０１２年５月１８日のＣＴ画像の簡易画像Ｍを含む第一サブウィンドウＳＷ１が表示されている状態において、２０１２年５月１８日のＣＴレポートの升目ＣＥに表示された数値アイコンＮＩがクリックされると、図２０に示すように、ＣＴ画像の簡易画像Ｍを含む第一サブウィンドウＳＷ１に代わり、ＣＴレポートの簡易画像Ｍを含む第一サブウィンドウＳＷ１が表示される。
【００８９】
操作者は、６月のカンファレンスにおいて、前記「６月」フォルダを開き、この「６月」フォルダ内の簡易画像Ｍに基づいて画像を表示させ、症例の説明を行なう。操作者は、前記「６月」フォルダを開くために、前記入力部３３を用いて、図２１に示すように、フォルダビューワＦＶを前記表示画面３１ａに表示させる入力を行なう。フォルダビューワＦＶには、フォルダの表示欄ＦＣと簡易画像Ｍの表示欄ＭＣとが含まれている。
【００９０】
前記フォルダビューワＦＶの表示について説明する。前記入力部３３において前記フォルダビューワＦＶを表示させる入力があると、前記データ要求部３２１は、フォルダビューワＦＶのデータを前記サーバ２へ要求する。表示データ作成部２２は、前記記憶部２１に記憶されたテーブルＴＡを参照して、フォルダに入れられた簡易画像Ｍを含むフォルダビューワＦＶのデータを作成する。前記表示データ作成部２２は、前記テーブルＴＡに含まれるＵＩＤを有する医療用データに基づいて、前記フォルダビューワＦＶに含まれる簡易画像Ｍのデータを作成する。
【００９１】
また、前記表示データ作成部２２は、簡易画像Ｍが患者ごとに分類されたフォルダビューワＦＶのデータを作成する。前記表示データ作成部２２は、前記テーブルＴＡに含まれるＵＩＤを有するメタデータに基づいて患者の氏名又は患者ＩＤを特定し、簡易画像Ｍを患者ごとに分類する。図２１では、患者Ｐ、患者Ｑ、患者Ｒの簡易画像Ｍが分類されて前記簡易画像の表示欄ＭＣに表示されている。
【００９２】
操作者は、フォルダの表示欄ＦＣの「６月」フォルダを選択することにより、「６月」フォルダに入れられた簡易画像Ｍを前記簡易画像の表示欄ＭＣに表示させる。そして、操作者は、この簡易画像の表示欄ＭＣに表示された簡易画像Ｍをクリックすることにより、特に図示しないが、前記サーバ２の記憶部２１に記憶された医療用データ（クリックされた簡易画像Ｍが作成された元のデータ）に基づく画像（原画像）を前記表示画面３１ａに表示させ、症例の説明を行なうことができる。その際、操作者は、２月のカンファレンスで用いたＣＴ画像と、今回新たに得られた２０１２年５月１８日のＣＴ画像とを比較して説明することができる。
【００９３】
ちなみに、簡易画像Ｍがクリックされると、その簡易画像ＭのＵＩＤが前記サーバ２へ出力される。サーバ２のデータ出力部２３は、前記表示端末３から入力されたＵＩＤの医療用データを前記表示端末３へ出力する。これにより、医療用データに基づく原画像が前記表示部３１に表示される。
【００９４】
以上、本発明を前記実施形態によって説明したが、本発明はその主旨を変更しない範囲で種々変更実施可能なことはもちろんである。例えば、前記第一サブウィンドウＳＷ１及び前記第二サブウィンドウＳＷ２は、長手方向の向き（方向性）が互いに異なっていればよい。言い換えれば、前記第一サブウィンドウＳＷ１における複数の簡易画像Ｍの配置方向と、前記第二サブウィンドウＳＷ２における複数の簡易画像Ｍの配置方向とが互いに異なっていればよい。例えば、上記実施形態では、前記第一サブウィンドウＳＷ１が縦長の長方形であり、前記第二サブウィンドウＳＷ２が横長の長方形になっているが、これとは逆に、前記第一サブウィンドウＳＷ１が横長の長方形であり、前記第二サブウィンドウＳＷ２が縦長の長方形であってもよい。この場合、横長の前記第一サブウィンドウＳＷ１において、複数の簡易画像Ｍは横方向に配置される。また、縦長の前記第二サブウィンドウＳＷ２において、複数の簡易画像Ｍは縦方向に配置される。また、前記第一サブウィンドウＳＷ１及び前記第二サブウィンドウＳＷ２の長手方向は、平行になっていなければ、斜め方向であってもよい。
【００９５】
また、前記第一サブウィンドウＳＷ１及び前記第二サブウィンドウＳＷ２の形状や色が互いに異なっていてもよい。
【００９６】
上記実施形態では、医療用データに基づく簡易画像の一覧が表示される例について説明したが、本発明は、医療用データに限られるものではない。本発明は、複数の属性の付随情報をメタデータとして有するデータに基づく画像の一覧が表示される表示装置及び画像表示システムに適用することができる。ただし、前記一覧は、簡易画像が、列方向において一の属性の付随情報毎に配置されるとともに、行方向において他の属性の付随情報毎に配置される一覧であることを要する。
【００９７】
また、前記表示端末３に設けられたテーブル作成部３２３の代わりに、図２２に示すように、前記サーバ２にテーブル作成部２４が設けられていてもよい。この場合、フォルダ内に簡易画像Ｍがドラッグアンドドロップされると、その簡易画像ＭのＵＩＤが前記サーバ２へ出力され、テーブルＴＡのＵＩＤ欄ＣＵＩＤに書き込まれる。
【符号の説明】
【００９８】
１  画像表示システム
２  サーバ
３  表示端末（表示装置）
２１  記憶部
２２  表示データ作成部（一覧作成部）
３１  表示部
Ｘ  一覧
Ｍ  簡易画像
ＳＷ１  第一サブウィンドウ（第一ウィンドウ）
ＳＷ２  第二サブウィンドウ（第二ウィンドウ）
ＮＩ  数値アイコン（第一インジケータ）
ＦＩ  フォルダアイコン（第二インジケータ）
【図１】
2014146175.tif 000003
【図２】
2014146175.tif 000004
【図３】
2014146175.tif 000005
【図４】
2014146175.tif 000006
【図５】
2014146175.tif 000007
【図６】
2014146175.tif 000008
【図７】
2014146175.tif 000009
【図８】
2014146175.tif 000010
【図９】
2014146175.tif 000011
【図１０】
2014146175.tif 000012
【図１１】
2014146175.tif 000013
【図１２】
2014146175.tif 000014
【図１３】
2014146175.tif 000015
【図１４】
2014146175.tif 000016
【図１５】
2014146175.tif 000017
【図１６】
2014146175.tif 000018
【図１７】
2014146175.tif 000019
【図１８】
2014146175.tif 000020
【図１９】
2014146175.tif 000021
【図２０】
2014146175.tif 000022
【図２１】
2014146175.tif 000023
【図２２】
2014146175.tif 000024